(57)【特許請求の範囲】
【請求項１】
外動障子の戸尻框に対向する竪骨と、竪骨の下端に配置した結露水受け部品と、外動障子の室内側に配置した伸縮網戸の戸当り竪枠とを備え、竪骨は、見込み面にクレセントを取付けてあり、クレセントの回動範囲よりも室内側の見込み面に戸当り竪枠取付凹部を有し、結露水受け部品は、見込み面に竪骨の戸当り竪枠取付凹部に連続する戸当り竪枠収納凹部を有すると共に上面に竪骨の室内側下端の外周を囲む立上げ部を有し、竪骨の戸当り竪枠取付凹部の見込み面と戸当り竪枠の見込み面との何れか一方には、他方に向けて突設する突部が設けてあり、突部が突設する寸法は結露水受け部品の立上げ部の厚み以上であり、突部の先端が他方に当接して竪骨と戸当り竪枠とを固定してあることを特徴とする網戸付き外動窓。
【発明の詳細な説明】
【技術分野】
【０００１】
本発明は、網戸付き外動窓に関する。
【背景技術】
【０００２】
非特許文献１には、竪骨の見込み面にクレセントを取付けると共に竪骨の下端に結露水受け部品を設けた外動窓が開示されている。
非特許文献２には、窓の室内側に伸縮網戸を設けることが開示されている。
【０００３】
【非特許文献１】「三協立山アルミ  ＭＴＧ−７０  ｓｅｒｉｅｓ  ＤＥＴＡＩＬ  図面集  ＳＴＢ  ００７７Ａ」Ｓ．０６．０５−０５０  第８４頁、三協立山アルミ（株）発行、平成１８年６月６日独立行政法人工業所有権情報・研修館受領日
【非特許文献２】「三協アルミ  ビル用建材  総合カタログ  ＨＨＢ００７７Ｃ」第７９１頁、三協アルミ（株）発行、平成１６年５月１８日独立行政法人工業所有権情報館受領日
【発明の開示】
【発明が解決しようとする課題】
【０００４】
しかし、非特許文献１の外動窓に非特許文献２の伸縮網戸を取付けようとすると、クレセントがその操作時に竪骨の室内側見付け面を超えて室内側にはみ出すことから、伸縮網戸の戸当り竪枠を竪骨に取付けることができなかった。
これに対して、クレセントの回動範囲よりも室内側で竪骨に伸縮網戸の戸当り竪枠を当てて取付けようとすると、竪骨の下端に設けてある結露水受け部品では竪骨の外周を立上げ部で囲んで竪骨の外面よりもはみ出している為、この立上げ部が邪魔になるので、結露水受け部品を外す必要があった。
そこで、本発明の目的は、竪骨の下端に結露水受け部品を取付けたまま伸縮網戸を取付けできる網戸付き外動窓を提供することである。
【課題を解決するための手段】
【０００５】
請求項１に記載の発明は、外動障子の戸尻框に対向する竪骨と、竪骨の下端に配置した結露水受け部品と、外動障子の室内側に配置した伸縮網戸の戸当り竪枠とを備え、竪骨は、見込み面にクレセントを取付けてあり、クレセントの回動範囲よりも室内側の見込み面に戸当り竪枠取付凹部を有し、結露水受け部品は、見込み面に竪骨の戸当り竪枠取付凹部に連続する戸当り竪枠収納凹部を有すると共に上面に竪骨の室内側下端の外周を囲む立上げ部を有し、竪骨の戸当り竪枠取付凹部の見込み面と戸当り竪枠の見込み面との何れか一方には、他方に向けて突設する突部が設けてあり、突部が突設する寸法は結露水受け部品の立上げ部の厚み以上であり、突部の先端が他方に当接して竪骨と戸当り竪枠とを固定してあることを特徴とする。
【発明の効果】
【０００６】
請求項１に記載の発明によれば、竪骨の下端に結露水受け部品を取付けてある為、竪骨の外周を囲む立上げ部が竪骨の外面よりもはみ出している場合であっても、竪骨の戸当り竪枠取付凹部の見込み面とこれに対向する戸当り竪枠の見込み面の何れか一方に設けた突部が、立上げ部の厚み以上の寸法で突設した先端を他方に当接しているから、伸縮網戸の戸当り竪枠と竪骨とを当接したときに戸当り竪枠の下端部を結露水受け部品の外側に配置できるので結露水受け部品が干渉せず、結露水受け部品を取付けたまま戸当り竪枠を竪骨に当接させて固定することができる。
【発明を実施するための最良の形態】
【０００７】
以下に、添付図面を参照して本発明の実施の形態を説明する。図１（ａ）は網戸付き外動窓の横断面図であり、（ｂ）は（ａ）のＡ−Ａ断面図であり、図２は図１に示す網戸付き外動窓をＢ−Ｂ位置で切断した縦断面図であり、図３は結露水受け部品の図であり、（ａ）は平面図、（ｂ）は正面図、（ｃ）は左側面図、（ｄ）は右側面図であり、図４は結露水受け部品の排水路を説明する図であり、（ａ）は竪骨との関係を示す結露水受け部の平面図であり、（ｂ）は竪骨、結露水受け部品及び下枠との関係を示す断面図である。
本実施の形態に係る網戸付き外動窓１は、図１及び図２に示すように、枠３と、枠３内に配置した嵌め殺し障子５と、外動障子７と、竪骨９と、伸縮網戸１１とを備えており、外動障子７は片引き戸であり、嵌め殺し障子５の横の開口１３を開閉するようになっている。
竪骨９は、嵌め殺し障子５の竪枠を兼ねており、閉じ位置にある外動障子７の戸尻框１２に対向する位置に配置されている。竪骨９には、見込み面９ａにクレセント１５が取付けてあり、クレセント取付面１５ａよりも室内側には、クレセント１５の回動範囲（図１（ａ）に二点鎖線で示す）よりも室内側に見込み面９ａが凹んだ戸当り竪枠取付凹部１９が設けてある。この戸当り竪枠取付凹部１９には、伸縮網戸１１の戸当り竪枠１７が配置され、見込み面９ａに網戸戸当り竪枠１７を取付けている。
図２に示すように、竪骨９の下端には、結露水受け部品２１が配置されている。結露水受け部品２１は、図３に示すように、上面に竪骨９の室内側下端の外周を囲む立上げ部２３を有すると共に、上面２１ａと立上げ部２３とで竪骨９の下端を呑み込む溝２４を形成している。
結露水受け部品２１は平面視が竪骨９の室内側部に沿った形状を成しており、結露水受け部品２１の見込み面２１ｂには、竪骨９の戸当り竪枠取付凹部１９に連続して凹んであり伸縮網戸１１の戸当り竪枠１７の下端部を収納する戸当り竪枠収納凹部２５が形成されている。
図３及び図４に示すように、結露水受け部品２１の上面（溝底）２１ａには、複数の突起２７が形成されており、竪骨９の下端９ｃと結露水受け部品２１の上面２１ａとの間に通水用の隙間を形成するようになっている。また、結露水受け部品２１の上面２１ａは、図４（ｂ）に示すように室外側を下に向けて傾斜しており、竪骨９から受けた結露水を外動障子が開閉する開口部１３側と嵌め殺しサッシ５側（図１（ａ）参照）とに排出するようになっている。
伸縮網戸１１は、図１（ａ）に示すように、アコーディオン網戸であり、戸当り竪枠１７は竪骨９の戸当り竪枠取付凹部１９と結露水受け部品の戸当り竪枠収納凹部２５に配置されており、網戸の戸尻枠２９は竪額縁３１に固定されている。網材の先端には係止部材３３が設けてあり、折り畳んだ状態にある網材を伸ばすように係止部材３３を移動して戸当り竪枠１７に係止することにより網を張り、網戸の非使用時には係止部材３３を戸尻枠２９側に寄せて網を折り畳んで収納する。
図１（ａ）に一点鎖線で抜き出して示すように、竪骨９において、戸当り竪枠１７の見込み面１７ａに対向する竪骨の見込み面９ａには、上下に長い条状の突部４３が複数形成されている。この突部４３は結露水受け部品の立上げ部２３の上端まで設けてあり（図１（ｂ）参照）、戸当り竪枠１７の対向する見込み面１７ａにのみに当接するようになっている。突部４３は竪骨９から戸当り竪枠１７に向けて突出しており、突出寸法ｔは結露水受け部品２１における立上げ部２３の厚みＴ（図１（ｂ）参照）以上の寸法である。
尚、図２及び図４（ｂ）に示すように、嵌め殺し障子５の下枠３７には、通水部品３９及び通水孔４１が設けてあり、結露水受け部品２１から嵌め殺し障子５側（図１参照）に排出された結露水は、通水部品３９と通水孔４１を通って外動障子７の走行レール４９の室内側に排水される。また、外動障子７が開閉する開口１３側（図１参照）に排出された水は外動障子７の走行レール４９の室内側に直接排水される。
走行レール４９の室内側に排水された結露水は、外動障子７を開けたときに走行レール４９の端から室外側に排水される。
【０００８】
次に、本実施の形態に係る網戸付き外動窓の施工、作用及び効果について説明する。
網戸付き外動窓１は、竪骨９の下端に結露水受け部品２１を取付けた後、上枠と下枠とに竪骨９と、嵌め殺し障子５及び押し縁を取付け、その後左右の竪枠を組付けて、最後に外動障子を取付ける。
次に、伸縮網戸１１を取付けるが、伸縮網戸１１の取付けは、網材と共に戸尻枠２９を竪額縁３１に固定し、戸当り竪枠１７を竪骨９の室内側に形成された戸当り竪枠取付凹部１９と結露水受け部品２１の戸当り竪枠収納凹部２５に配置して、竪骨９の見込み面９ａに設けてある突部４３の先端に戸当り竪枠１７の見込み面１７ａを突き当てて、ねじ４４で竪骨９に固定する。
本実施の形態によれば、竪骨９には、対向する戸当り竪枠１７に向けて突設する突部４３を設け、突部４３の突出寸法ｔは結露水受け部品２１における立上げ部２３の厚みＴ以上にしてあるので、竪骨９の下端にその周囲を囲む結露水受部品２１を設けても、結露水受け部品２１が干渉せずに、結露水受け部品２１を取付けたまま戸当り竪枠１７を竪骨９に当接させてねじ４４で固定することができる。
結露水受け部品２１には、竪骨９の下端に当接する突起２７を設けて、竪骨９の下端と結露水受け部品２１の溝底２１ａとの間に隙間を形成しているので、竪骨９の下に排水通路を確保することができる。
【０００９】
本発明は、上述した実施の形態に限らず、本発明の要旨を逸脱しない範囲で種々変形可能である。
例えば、竪骨９と網戸戸当り竪枠１７との対向する位置に設ける突部４３は、竪骨９から突設して設けることに限らず、戸当り竪枠１７から突設して設けるものであっても良い。
突部４３は突条に限らず、不連続に突設して設けても良い。
外動障子７は、片引き障子に限らず、引分け障子や自由片引き障子として、左右に設けた嵌め殺し窓の開口部側に各々竪骨９を設けるものであっても良い。また、両袖片引き窓において、嵌め殺し障子の左右両側に外動障子７を設け、嵌め殺し窓の左右に竪骨９を設けるものであっても良い。
また、嵌め殺し障子５に換えて袖壁とするものであっても良い。
【図面の簡単な説明】
【００１０】
【図１】（ａ）は網戸付き外動窓の横断面図であり、（ｂ）は（ａ）のＡ−Ａ断面図である。
【図２】図１に示す外動窓をＢ−Ｂ位置で切断した縦断面図である。
【図３】結露水受け部品の図であり、（ａ）は平面図、（ｂ）は正面図、（ｃ）は左側面図、（ｄ）は右側面図である。
【図４】結露水受け部品の排水路を説明する図であり、（ａ）は竪骨との関係を示す結露水受け部の平面図であり、（ｂ）は竪骨、結露水受け部品及び下枠との関係を示す断面図である。
【符号の説明】
【００１１】
１      網戸付き外動窓
７      外動障子
９      竪骨
９ａ    見込み面（竪骨の見込み面）
１１    伸縮網戸
１２    戸尻框
１５    クレセント
１７    戸当り竪枠
１７ａ  見込み面（戸当り竪枠の見込み面）
１９    戸当り竪枠取付凹部
２１    結露水受け部品
２１ｂ  見込み面（結露水受け部品の見込み面）
２３    立上げ部
２５    戸当り竪枠収納凹部
４３    突部
【図１】
0004856615.tif 000002
【図２】
0004856615.tif 000003
【図３】
0004856615.tif 000004
【図４】
0004856615.tif 000005